【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
標的分子の結晶化を促進するためのマイクロ流体デバイスであって、前記デバイスは、第１面及び反対側の第２面を有し、かつ少なくとも一つの液体流路を有する固体構造を備え、前記液体流路は、標的分子溶液流入口と、そして少なくとも一つの沈殿剤流入口と、を含み、標的分子溶液流入口は、前記沈殿剤流入口と前記液体流路を介して液体連通し、前記液体流路は、前記沈殿剤流入口に隣接する結晶化流路セクションを含み、前記マイクロ流体デバイスは少なくとも一つの第１部分と、そして少なくとも一つの蓋部分と、を備え、第１部分は第１面と、少なくとも一つの溝を持つ溝面と、を有することにより前記結晶化流路セクションを構成し、蓋部分は少なくとも部分的に取り外し可能な蓋を構成し、前記蓋は第２面及び溝面を有し、取り外し可能な前記蓋を前記溝の上に取り付け、そして液体流路の前記結晶化流路セクションに対して前記溝に沿って密閉する、マイクロ流体デバイス。
【請求項２】
前記第１部分は、液体流路への標的分子溶液流入口を構成するため、または、液体流路への沈殿剤流入口のために、少なくとも一つの貫通開口部または凹部を有する、請求項１記載のマイクロ流体デバイス。
【請求項３】
取り外し可能な前記蓋は前記第１部分を超えて延び、取り外し可能な前記蓋は、第１部分を超えて延びることにより、前記蓋を取り外すためのフランジを構成し、前記フランジは前記フランジを剥離することにより、前記蓋が結晶化流路セクションから外れるように構成される、請求項１または２に記載のマイクロ流体デバイス。
【請求項４】
取り外し可能な前記蓋は、溝に沿って第１部分の溝面に、接着法及び溶接法のうちの少なくとも１つによって密閉される、請求項１〜３のいずれか一項に記載のマイクロ流体デバイス。
【請求項５】
前記マイクロ流体デバイスは２つ以上の液体流路を備え、これらの液体流路は結晶化流路セクションを含み、かつ各液体流路は標的分子溶液流入口及び沈殿剤流入口に接続され、前記結晶化流路セクション群の各セクションは取り外し可能な蓋で覆われることが好ましく、これらの蓋は任意であるが、互いに対して剥離可能に接続される、請求項１〜４のいずれか一項に記載のマイクロ流体デバイス。
【請求項６】
前記少なくとも一つの蓋部分は、ポリマー箔または金属箔のような箔により作製されるとともに、前記箔を第１部分の溝面に貼り付け、溝（群）に沿って溝面に接着させ、または溶接し、そして部分的に、または全てに切り込みを入れて複数の部分とすることにより、取り外し可能な複数の前記蓋を構成する、請求項１〜５のいずれか一項に記載のマイクロ流体デバイス。
【請求項７】
前記デバイスは、少なくとも２つの沈殿剤流入口とを備え、前記標的分子溶液流入口は、これらの沈殿剤流入口の各沈殿剤流入口と前記液体流路を介して液体連通し、前記液体流路は、前記標的分子溶液流入口に隣接する分岐流路セクションと、該当する前記沈殿剤流入口に隣接する結晶化流路セクションと、前記分岐流路セクションと前記結晶化流路セクション群の各結晶化流路セクションとの間に配置される流動遮断流路セクションとを備え、前記液体流路は、前記分岐流路セクションにおいて１〜Ｘ個に分岐し、Ｘは結晶化流路セクションの数であり、そして前記流動遮断流路セクションは、前記分岐流路セクションと該当する結晶化流路セクションとの間の液体連通を遮断する機能を有する流動遮断機構を備えている、請求項１〜６のいずれか一項に記載のマイクロ流体デバイス。
【請求項８】
前記流動遮断機構は、ａ）毛細管現象流動遮断部分、ｂ）流路変位部分、及びｃ）弱化ライン流動遮断部分の内の少なくとも一つの部分の形態であり、ａ）毛細管現象流動遮断部分では、少なくとも一つの流動遮断流路セクションが、隣接する前記結晶化流路セクションによって液体に作用する毛細管力よりも小さい毛細管力が前記流路の液体に作用するように構成され、ｂ）流路変位部分では、流動遮断流路の内の少なくとも一部分が、分岐流路セクション及び結晶化流路セクションの内の少なくとも一つのセクションに対して垂直方向に変位し、そしてｃ）弱化ライン流動遮断部分では、前記固体構造に、少なくとも一つの流動遮断流路セクションの液体流路を横切る弱化ラインが設けられる、請求項７に記載のマイクロ流体デバイス。
【請求項９】
マイクロ流体デバイスは例えば２個以上、５個以上、１０個以上のように、２つ以上の結晶化流路セクションを備え、前記マイクロ流体デバイスは好適には前記結晶化流路セクションのそれぞれに対応する１つの蓋を備える、請求項１〜８のいずれか一項に記載のマイクロ流体デバイス。
【請求項１０】
マイクロ流体デバイスは、ガラス、セラミックス、金属、及びシリコン、ゲルマニウム、及び砒化ガリウムのような半導体材料、及びポリマーから成るグループから選択される材料により作製される少なくとも一つの部分を備える、請求項１〜９のいずれか一項に記載のマイクロ流体デバイス。
【請求項１１】
請求項１０記載のデバイスを利用する方法であって、マイクロ流体デバイスは、ポリマー材料、好ましくは射出成型可能なポリマーにより作製される少なくとも一つの部分を備え、ポリマー材料として、アクリロニトリル−ブタジエン−スチレンコポリマー、ポリカーボネート、ポリジメチルシロキサン（ＰＤＭＳ）、ポリエチレン（ＰＥ）、ポリメチルメタクリレート（ＰＭＭＡ）、ポリメチルペンテン、ポリプロピレン、ポリスチレン、ポリサルフォン、ポリテトラフルオロエチレン（ＰＴＦＥ）、ポリウレタン（ＰＵ）、ポリビニルクロライド（ＰＶＣ）、ポリビニリデンクロライド（ＰＶＤＣ）、ポリビニリデンフッ化物、スチレン−アクリルコポリマー、ポリイソプレン、ポリブタジエン、ポリクロロプレン、ポリイソブチレン、ポリ（スチレン−ブタジエン−スチレン）、シリコーン、エポキシ樹脂、ポリエーテルブロックアミド、ポリエステル、アクリロニトリルブタジエンスチレン（ＡＢＳ）、アクリル系、セルロイド、セルロースアセテート、エチレン−ビニルアセテート（ＥＶＡ）、エチレンビニルアルコール（ＥＶＡＬ）、フッ素樹脂（ＦＥＰ，ＰＦＡ，ＣＴＦＥ，ＥＣＴＦＥ，ＥＴＦＥを含むＰＴＦＥ）、ポリアセタル（ＰＯＭ）、ポリアクリレート（アクリル系）、ポリアクリロニトリル（ＰＡＮ）ポリアミド（ＰＡ）、ポリアミド−イミド（ＰＡＩ）、ポリアリルエーテルケトン（ＰＡＥＫ）、ポリブタジエン（ＰＢＤ）、ポリブチレン（ＰＢ）、ポリブチレンテレフタレート（ＰＢＴ）、ポリエチレンテレフタレート（ＰＥＴ）、ポリシクロヘキシレンジメチレンテレフタレート（ＰＣＴ）、ポリケトン（ＰＫ）、ポリエステル／ポリテン／ポリエテン、ポリエーテルエーテルケトン（ＰＥＥＫ）、ポリエーテルイミド（ＰＥＩ）、ポリエーテルサルフォン（ＰＥＳ）、塩素化ポリエチレン（ＰＥＣ）、ポリイミド（ＰＩ）、ポリ乳酸（ＰＬＡ）、ポリメチルペンテン（ＰＭＰ）、ポリフェニレンオキシド（ＰＰＯ）、硫化ポリフェニレン（ＰＰＳ）、ポリフタルアミド（ＰＰＡ）、及び上に列挙した材料の混合物から成るグループから選択されるポリマーを挙げることができ、好ましくは
、デバイスの少なくとも一部分が、光学検査を行なうことができる透明性を有する、方法。
【請求項１２】
前記マイクロ流体デバイスは前記沈殿剤流入口に液体連通している少なくとも１つの沈殿剤空洞を備え、前記沈殿剤空洞群の内の少なくとも一つの沈殿剤空洞は、部分的に閉じた空洞の形態であり、部分的に閉じた空洞は、沈殿剤で予め充填されていることが好ましい、請求項１〜１１のいずれか一項に記載のマイクロ流体デバイス。
【請求項１３】
前記マイクロ流体デバイスは前記沈殿剤流入口に液体連通している少なくとも１つの沈殿剤空洞を備え、前記沈殿剤空洞のうちの少なくとも１つは円錐形をなす、請求項１〜１２のいずれか一項に記載のマイクロ流体デバイス。
【請求項１４】
少なくとも一つの結晶化流路セクションは、沈殿剤流入口の中に、または沈殿剤流入口に隣接して配置される毛細管現象流動停止部分を有し、毛細管現象流動停止部分は、階段状に、かつ好ましくは結晶化流路セクションから沈殿剤空洞に向かって急激に広がる部分によって形成されることが好ましく、好ましくは結晶化流路セクション群の全てが、これらの結晶化流路セクションに隣接する沈殿剤流入口の中に、または沈殿剤流入口に隣接して配置される毛細管現象流動停止部分を有する、請求項１〜１３のいずれか一項に記載のマイクロ流体デバイス。
【請求項１５】
前記マイクロ流体デバイスは２つ以上の結晶化流路セクションを備え、前記結晶化流路セクションは、互いにほぼ平行である、請求項１〜１４のいずれか一項に記載のマイクロ流体デバイス。
【請求項１６】
前記デバイスは更に、好ましくは前記沈殿剤流入口に隣接する前記結晶化流路セクション群の内の少なくとも一つのセクションに組み込まれる膜を備え、前記膜は、標的分子が沈殿剤に、沈殿剤流入口と液体を介して接触するようにして拡散する現象を防止する濾過膜であり、前記膜は、メルトブローンされたガラス繊維、スパンボンドされた合成繊維（例えば、ナイロン、ポリエステル、ポリエチレン、ポリプロピレン、またはポリエーテルスルフォン）、半合成繊維、再生繊維、及び無機繊維、及び上に列挙した繊維の混合物のような繊維材料；及び発泡ポリマーから成るグループから選択される材料群の内の一つ以上の材料により作製される多孔質膜であることが好ましく、更に好ましくは、前記膜は多孔質ニトロセルロースである、請求項１〜１５のいずれか一項に記載のマイクロ流体デバイス。
【請求項１７】
水溶液中の前記標的分子溶液が任意であるが、一つ以上の洗浄剤を含む、標的分子溶液と組み合わせた請求項１〜１６のいずれか一項に記載のマイクロ流体デバイス。
【請求項１８】
前記液体流路は壁表面を含み、壁表面は、流路の外周に沿って、かつ流路の長さだけ延び、少なくとも一つの結晶化流路セクションの前記壁表面は、当該結晶化流路セクションの外周の少なくとも一部分において、標的分子溶液の表面張力よりも大きい表面張力を有する、請求項１７に記載の標的分子溶液と組み合わせたマイクロ流体デバイス。
【請求項１９】
請求項１〜１８のいずれか一項に記載のマイクロ流体デバイスの結晶化流路セクションから形成され又は成長した結晶を採取するための方法において、前記蓋と前記結晶を選択的に除去する、方法。
【請求項２０】
請求項１９に記載のマイクロ流体デバイスの結晶化流路セクションから形成され又は成長した結晶を採取するための方法において、前記マイクロ流体デバイスは２つ以上の結晶化流路セクションと前記結晶化流路セクションのそれぞれに対応する１つの蓋を備え、前記方法は、前記結晶化流路セクションを覆う蓋を選択的に除去することによって前記結晶化流路セクションのうちの１つから形成され又は成長した結晶を採取する工程と、前記結晶を除去する工程とを備える、方法。